(57)【要約】【課題】室内機を小型化しつつ、室内機のメンテナンス作業を容易に行うことができる空気調和装置を提供する。【解決手段】天井部に設置された室内機１０と、この室内機１０に連結部５２，６２を介して配管接続された室外機９からなる空気調和装置において、室内機１０は、熱交換器２１、ファン３１を有する本体部分１１と、化粧パネル１２からなり、この本体部分１１は、熱交換器２１が配置された第１筐体部２０と、この第１筐体部２０に隣接して設けられると共に、第１筐体部２０より小さく形成され、ファン３１が配置された第２筐体部３０と、を備え、第１筐体部２０の側面と第２筐体部３０の側面とで形成される空間Ｓ１に、連結部５２，６２を配置した。【選択図】図６
2019143910.tif 000002
【特許請求の範囲】
【請求項１】
天井部に設置された室内機と、この室内機に連結部を介して配管接続された室外機からなる空気調和装置において、前記室内機は、熱交換器、ファンを有する本体部分と、化粧パネルからなり、この本体部分は、前記熱交換器が配置された第１筐体部と、この第１筐体部に隣接して設けられると共に、第１筐体部より小さく形成され、前記ファンが配置された第２筐体部と、を備え、前記第１筐体部の側面と第２筐体部の側面とで形成される空間に、前記連結部が配置されることを特徴とする空気調和装置。
【請求項２】
前記第２筐体部の側面は、前記空間側へ開口する開口部を備えることを特徴とする請求項１に記載の空気調和装置。
【請求項３】
前記開口部には、着脱自在なサービス板が備えられることを特徴とする請求項２に記載の空気調和装置。
【請求項４】
前記開口部は、前記第２筐体部の側面の一部であることを特徴とする請求項２または３に記載の空気調和装置。
【請求項５】
前記配管は、ガス管と液管とからなり、上下方向に重なる位置に配置されていることを特徴とする請求項１から４の何れか一項に記載の空気調和装置。
【請求項６】
前記配管の連結部は、平面視において異なる位置に配置されていることを特徴とする請求項５に記載の空気調和装置。
【請求項７】
前記開口部は、前記連結部と対向する位置に形成されていることを特徴とする請求項２から６の何れか一項に記載の空気調和装置。
【発明の詳細な説明】
【技術分野】
【０００１】
本発明は、空気調和装置に関する。
【背景技術】
【０００２】
従来、天井部に設置され、熱交換器、ファンを有する本体部分を備える空気調和装置の室内機が知られている（例えば、特許文献１参照）。
この種の空気調和装置の室内機は、例えばビジネスホテルのシングルルームの狭い入口通路等、限られた空間に設置される場合がある。
【先行技術文献】
【特許文献】
【０００３】
【特許文献１】特許第４４２６２５７号公報
【発明の概要】
【発明が解決しようとする課題】
【０００４】
このような限られた空間に室内機を設置する場合、室外機と室内機とを接続する配管や、熱交換器、ファンなどの部材を本体部分内の限られたスペースに収容することとなる。そのため、これら部材間の距離が近接するなどすることにより、室内機のメンテナンスが困難となり、未だ改善の余地があった。
本発明は、上述した課題を解決するものであり、室内機を小型化しつつ、室内機のメンテナンス作業を容易に行うことができる空気調和装置を提供することを目的とする。
【課題を解決するための手段】
【０００５】
上記目的を達成するために、本発明は、天井部に設置された室内機と、この室内機に連結部を介して配管接続された室外機からなる空気調和装置において、前記室内機は、熱交換器、ファンを有する本体部分と、化粧パネルからなり、この本体部分は、前記熱交換器が配置された第１筐体部と、この第１筐体部に隣接して設けられると共に、第１筐体部より小さく形成され、前記ファンが配置された第２筐体部と、を備え、前記第１筐体部の側面と第２筐体部の側面とで形成される空間に、前記連結部が配置されることを特徴とする。
【発明の効果】
【０００６】
本発明によれば、第１筐体部の側面と第２筐体部の側面とで形成される空間に、連結部を配置するので、室内機を小型化でき、この空間を用いてメンテナンスが可能となるので、室内機のメンテナンス作業を容易に行うことができる空気調和装置を提供できる。
【図面の簡単な説明】
【０００７】
【図１】本発明の実施形態に係る室内機が配置された部屋のレイアウト図の一例
【図２】室内機の斜視図
【図３】室内機の右側面図
【図４】室内機の背面図
【図５】空間近傍の斜視図
【図６】空間近傍の斜視図
【図７】空間近傍の斜視図
【図８】空間近傍の斜視図
【発明を実施するための形態】
【０００８】
第１の発明における空気調和装置は、天井部に設置された室内機と、この室内機に連結部を介して配管接続された室外機からなる空気調和装置において、前記室内機は、熱交換器、ファンを有する本体部分と、化粧パネルからなり、この本体部分は、前記熱交換器が配置された第１筐体部と、この第１筐体部に隣接して設けられると共に、第１筐体部より小さく形成され、前記ファンが配置された第２筐体部と、を備え、前記第１筐体部の側面と第２筐体部の側面とで形成される空間に、前記連結部が配置されることを特徴とする。
この発明によれば、第１筐体部の側面と第２筐体部の側面とで形成される空間に、連結部を配置するので、室内機を小型化でき、この空間を用いてメンテナンスが可能となるので、室内機のメンテナンス作業を容易に行うことができる空気調和装置を提供できる。
【０００９】
第２の発明における空気調和装置は、第１の発明において、前記第２筐体部の側面は、前記空間側へ開口する開口部を備えることを特徴とする
この発明によれば、連結部が配置される空間に隣接する第２筐体部の側面に開口部を備えることにより、空間と第２筐体部の内部空間とがつながり、連結部の連結作業や連結解除作業を行うためサービススペースが確保される。このサービススペースを介してメンテナンス機器の使用が容易となる。
【００１０】
第３の発明における空気調和装置は、第２の発明において、前記開口部には、着脱自在なサービス板が備えられることを特徴とする。
この発明によれば、連結部の連結作業や連結解除作業は、サービス板を取り外しサービススペースを確保することにより行われるが、連結部の連結作業や連結解除作業を行わない通常時においては、サービス板により第２筐体部を覆うことができるため、第２筐体部内部に埃等が侵入することを抑制できる。
【００１１】
第４の発明における空気調和装置は、第２または第３の発明において、前記開口部は、前記第２筐体部の側面の一部であることを特徴とする。
この発明によれば、サービス板を設ける位置の自由度があがり、適宜に適切な位置にサービス板を設けることができる。
【００１２】
第５の発明における空気調和装置は、第１から第４の何れかの発明において、前記配管は、ガス管と液管とからなり、上下方向に重なる位置に配置されていることを特徴とする。
この発明によれば、ガス管と液管とは、上下方向に重なる位置に配置されているので、第１の発明に係る空間のスペースを小さくでき、室内機をより小型化できる。
【００１３】
第６の発明における空気調和装置は、第５の発明において、前記配管の連結部は、平面視において異なる位置に配置されていることを特徴とする。
ガス管および液管の連結部の連結解除作業を行う場合、まず、ガス管および液管のうち下方に配置される配管の連結解除作業を行い、次いで、上方に配置される配管の連可決解除作業を行う。
この発明によれば、配管の連結部は、平面視において異なる位置に配置されているため、上方に配置される配管の連可決解除作業を行う際に、下方に配置される配管が妨げとならず、連結解除作業を容易に行える。
【００１４】
第７の発明における空気調和装置は、第２から第６の発明の何れかにおいて、前記開口部は、前記連結部と対向する位置に形成されていることを特徴とする。
この発明によれば、配管の連結作業や連結解除作業に必要となる作業用のサービススペースを確保することができるため、配管の連結作業および連結解除作業を容易に行える。
【００１５】
以下、本発明の実施の形態について、図面を参照しながら説明する。なお、本実施の形態によって本発明が限定されるものではない。
【００１６】
図１は、本発明の実施形態に係る室内機１０が配置された部屋のレイアウト図の一例である。
この建屋は、ビジネスホテルであり、その一室としてシングルルーム１が廊下２に隣接して設けられている。シングルルーム１は、ドアに連なる入口通路３と、この入口通路３の奥にドアの無い状態で連通する居室５と、入口通路３の側方に設けられる浴室６と、を備える。居室５には、ベッドおよび机が配置されている。浴室６には、風呂およびトイレが配置されている。
入口通路３の側方であり、浴室６と反対の側には、クローゼット７が設けられている。クローゼット７は、床から天井まで延びており、シングルルーム１に一体として設けられている。浴室６とクローゼット７との間であって、入口通路３の天井部８には、前側が居室５の方向を向くように室内機１０が配置されている。
【００１７】
室内機１０は、平面視において、略矩形に形成されている。室内機１０は、浴室６とクローゼット７とに挟まれた狭い入口通路３にも配置可能とされている。
室内機１０は、被調和室から空気を吸込み、その空気を室内機１０にて空調後、被調和室に向けて一方向に吹出す所謂一方向カセットの室内機である。図２に示す室内機１０の吹出口２２は、居室５に向けられている。室内機１０は、空調後の空気が居室５に向けて吹出すことができるように、配置される。
室内機１０において、空調後の空気を吹出す方向を前方向とする。
【００１８】
室外機９に接続される液管６０は、本液管５１に接続される。室外機９に接続されるガス管５０は、本ガス管６１に接続される。本液管５１および本ガス管６１は、室外機９に接続される。室内機１０と室外機９とは、空気調和装置を構成する。
なお、図１において液管６０とガス管５０とを、平面視において重ならない位置に記載しているが、これは便宜上の記載であり、本実施の形態にかかる液管６０とガス管５０とは、例えば図２および図４に示すように、平面視において重なる位置に配置されている。
【００１９】
図２は、室内機１０の斜視図である。図３は、室内機１０の右側面図である。図４は、室内機１０の背面図である。図５から図８は、空間Ｓ１の斜視図である。
図２における室内機１０を矢印Ａ方向から正面視した場合を基準として、図中の右側を右、左側を左、前側を前、後ろ側を後、上側を上、下側を下、と定義する。また、室内機１０の前後の方向を奥行き方向とし、室内機１０の左右の方向を巾方向とし、上下の方向を上下方向とする。
【００２０】
室内機１０の構成を説明する。
図２に示すように、室内機１０は、本体部分１１と、化粧パネル１２と、を備える。
本体部分１１は、前方に配置される第１筐体部２０と、第１筐体部２０に隣接して設けられ、第１筐体部２０の後方に配置される第２筐体部３０と、を備える。
化粧パネル１２は、被調和室の空気を吸い込む不図示の吸込口と、空調後の空気を吹き出す吹出口２２と、を備える。この化粧パネル１２が、天井面に設置される。
【００２１】
第１筐体部２０には、熱交換器２１が配置されている。本実施の形態に係る熱交換器２１は、断面が略くの字状に組み合わされている。
第２筐体部３０には、中央部にシロッコファン（ファン）３１が配置されている。シロッコファン３１の後部には、縦長の電装箱３２が配置されている。
シロッコファン（ファン）３１は、化粧パネル１２に設けられた吸込口の上方に配置されている。熱交換器２１は、化粧パネル１２に設けられた吹出口２２側に配置されている。
熱交換器２１につながれた冷媒配管その他配管類は、第１筐体部２０内に配置されている。
【００２２】
図２に示すように、第２筐体部３０の巾Ｗ２は、第１筐体部２０の巾Ｗ１よりも狭く形成されている。
第２筐体部３０の左側面３０ａは、第１筐体部２０の左側面２０ａと面一となる位置に配置されている。そのため、図２に点線で示すように、巾方向であって、第１筐体部２０の右側面２０ｂと第２筐体部３０の右側面３０ｂとの間であり、かつ、奥行き方向であって、第１筐体部２０の後面から第２筐体部３０の後面まで間には、空間Ｓ１が設けられる。
【００２３】
図２および図５に示すように、空間Ｓ１には、室内機１０の構成要素である熱交換器２１と室外機９とをつなぐガス管（配管）５０および液管（配管）６０が配置されている。ガス管５０および液管６０の周方向全周には、配管ゴム３３が備えられている。
また、空間Ｓ１には、第１筐体部２０に設けられる不図示のドレンパンからドレン水を排出するためのドレン配管７０が配置されている。
ガス管５０、液管６０、およびドレン配管７０は、空間Ｓ１の奥行き方向に沿って配置されている。ガス管５０、液管６０、およびドレン配管７０は、後ろ引き出しとされている。
【００２４】
図４および図５に示すように、液管６０は、ガス管５０の上方に配置されている。
これらガス管５０および液管６０は、平面視において重なる位置に配置されている。すなわち、ガス管５０および液管６０は、上下方向に重なる位置に配置されている。また、ドレン配管７０も、ガス管５０および液管６０と平面視において重なる位置に配置されている。すなわち、ガス管５０、液管６０、およびドレン配管７０は、上下方向に重なる位置に並べて配置されている。
【００２５】
図５に示すように、空間Ｓ１中に配置される液管６０には、液管６０を連結するための液管連結部（連結部）６２が設けられている。液管連結部６２は、ボルトおよびナットを備える。
空間Ｓ１中に配置されるガス管５０には、ガス管５０を連結するためのガス管連結部（連結部）５２が設けられている。ガス管連結部５２は、ボルトおよびナットを備える。
ガス管連結部５２と液管連結部６２とは、平面視において異なる位置に配置されている。ガス管連結部５２は、液管連結部６２よりも後方に配置されている。
空間Ｓ１中に配置されるドレン配管７０には、ドレン配管７０を連結するためのドレン配管連結部７２が設けられている。
【００２６】
なお、本実施の形態では、液管６０をガス管５０の上方に配置したが、ガス管５０を液管６０の上方に配置してもよい。ガス管５０を液管６０の上方に配置した場合、ガス管連結部５２は、液管連結部６２よりも後方に設けることが望ましい。
【００２７】
図６に示すように、第２筐体部３０の右側面３０ｂ（第２筐体部であって、空間と隣接する側の側面）には、開口部８２が形成されている。この開口部８２には、脱自在なサービス板８０が取り付けられている。開口部８２は、第２筐体部３０の右側面３０ｂ（第２筐体部であって、空間と隣接する側の側面）の全体にわたって形成されていてもよい。開口部８２は、第２筐体部３０の右側面３０ｂ（第２筐体部であって、空間と隣接する側の側面）の一部であればよい。
サービス板８０は、下部から延びる固定部８０ａおよび上部から延びる固定部８０ｂを介して、第２筐体部３０の右側面３０ｂにねじ止め固定される。
図５に示すように、サービス板８０が第２筐体部３０の右側面３０ｂに固定されている場合、サービス板８０は、第２筐体部３０の右側面３０ｂの一部となる。
【００２８】
図６および図７に示すように、サービス板８０を第２筐体部３０の右側面３０ｂに固定した場合における、サービス板８０の内側である第２筐体部３０の内部空間Ｓ２には、部材が配置されていない。
室内機１０には、サービス板８０を取外した場合、空間Ｓ１と内部空間Ｓ２とがつながる作業用のサービススペースＳ３が確保される。
内部空間Ｓ２は、連結部を連結し、または連結解除するメンテナンス時に用いるスパナやレンチ等のメンテナンス機器３５が回動可能な程度の空間を備えていればよい。内部空間Ｓ２としては、例えば、少なくともサービス板８０から第２筐体部３０の内側に向けて１ｃｍ程度の空間があればよい。
【００２９】
図３に示すように、開口部８２は、ガス管連結部（連結部）５２および液管連結部（連結部）６２と対向する位置に形成されている。
開口部８２は、側面視において、ガス管連結部５２と重なる位置に備えられる。すなわち、サービス板８０を取外した場合、ガス管連結部５２と開口部８２とは、側面視において重なる。
そのため、サービス板８０を取外した場合に確保されるサービススペースＳ３を利用することにより、ガス管連結部５２におけるガス管５０の連結作業や連結解除作業を容易に行える。
【００３０】
本実施の形態では、図３に示すように、側面視において、開口部８２は、液管連結部６２と重ならない。もっとも、液管６０に備えられる配管ゴム３３の下端の高さと開口部８２の上端の高さとがおよそ等しい位置に配置されている。このように、液管連結部６２は、開口部８２の上端のすぐ上方に配置されているため、後述する図８に示すように、サービススペースＳ３を介したメンテナンスを容易にできる。
なお、開口部８２は、液管連結部６２の位置と側面視において重なる位置に備えていてもよいことは勿論である。
【００３１】
次に、本実施形態の作用について説明する。
室内機１０の本体部分１１をメンテナンスするため、ガス管５０および液管６０の連結を解除する場合、まず、化粧パネル１２を外す。
次いで、サービス板８０を第２筐体部３０の右側面３０ｂから取外す。これにより、サービススペースＳ３を確保することができる。
そこで、図７に示すように、サービススペースＳ３においてスパナやレンチ等のメンテナンス機器３５を使用し、下方に配置されるガス管連結部５２の連結をまず解除する。
次いで、図８に示すように、上方に配置される液管連結部６２の連結を解除する。
【００３２】
ガス管５０および液管６０を連結する場合には、まず、上方に配置される液管連結部６２を連結する。これにより、液管６０が連結される。
次いで、下方に配置されるガス管連結部５２を連結する。これにより、ガス管５０が連結される。
【００３３】
これらの作業は、サービススペースＳ３内において行うことができるため、メンテナンスのためのスペースを巾方向に余剰に設けることを要しない。そのため、メンテナンスを容易に行いつつ、室内機１０を小型化できる。
また、化粧パネル１２を取外すことのみにより、電装箱３２など本体部分１１のメンテナンスも同時に行うことが可能となる。
【００３４】
以上説明したように、本実施の形態では、室外機９と、天井部に設置され、熱交換器２１、シロッコファン（ファン）３１を有する本体部分１１、および化粧パネル１２を備える室内機１０と、を備える空気調和装置において、本体部分１１は、熱交換器２１が配置された第１筐体部２０と、第１筐体部２０の後方に設けられ、第１筐体部２０の巾Ｗ１よりも狭い巾を有し、シロッコファン３１が配置された第２筐体部３０と、を備え、第２筐体部３０の側方に隣接する空間Ｓ１には、室内機１０と室外機９とをつなぐ配管（ガス管５０および液管６０）の連結部（ガス管連結部５２および液管連結部６２）が配置され、第２筐体部３０であって、空間Ｓ１と隣接する側の右側面３０ｂは、空間Ｓ１と第２筐体部３０の内部空間Ｓ２とをつなげる開口部８２を備えた。
これによれば、ガス管連結部５２および液管連結部６２が配置される空間Ｓ１に隣接する第２筐体部３０の右側面３０ｂに開口部８２を備えることにより、空間Ｓ１と第２筐体部３０の内部空間Ｓ２とがつながり、ガス管連結部５２および液管連結部６２の連結作業や連結解除作業を行うためサービススペースＳ３が確保される。このサービススペースＳ３を介してメンテナンス機器３５の使用が容易となる。
そのため、室内機１０を小型化しつつ、配管（ガス管５０および液管６０）の連結作業および連結解除作業を容易に行うことができるため、室内機１０のメンテナンス作業を容易に行うことができる空気調和装置を提供できる。
【００３５】
また、本実施の形態によれば、開口部８２には、着脱自在なサービス板８０が備えられる。
連結部（ガス管連結部５２および液管連結部６２）の連結作業や連結解除作業は、サービス板８０を取り外しサービススペースＳ３を確保することにより行われるが、連結部（ガス管連結部５２および液管連結部６２）の連結作業や連結解除作業を行わない通常時においては、サービス板８０により第２筐体部３０を覆うことができるため、第２筐体部３０内部に埃等が侵入することを抑制できる。
【００３６】
また、本実施の形態によれば、ガス管５０と液管６０とは、平面視において重なる位置に配置されている。
これによれば、空間Ｓ１のスペースを小さくでき、室内機１０をより小型化できる。
【００３７】
また、本実施の形態によれば、液管連結部６２（配管であるガス管および液管のうち、上方に配置される配管の連結部）の位置は、ガス管連結部５２（下方に配置される配管の連結部）の位置よりも後方に配置されている。
ガス管連結部５２および液管連結部６２の連結解除作業を行う場合、まず、下方に配置されるガス管連結部５２の連結解除作業を行い、次いで、上方に配置される液管連結部６２の連可決解除作業を行う。
これによれば、上方に配置される液管連結部６２の位置が下方に配置されるガス管連結部５２の位置よりも後方に配置されるため、上方に配置される液管連結部６２の連可決解除作業を行う際に、下方に配置されるガス管５０が妨げとならず、連結解除作業を容易に行える。
【００３８】
また、本実施の形態によれば、開口部８２は、側面視において、ガス管連結部５２（配管であるガス管および液管のうち、下方に配置される配管の連結部）の位置と重なる位置に備えられている。
これによれば、ガス管５０および液管６０の連結作業時や連結解除作業時に必要となる作業用のサービススペースＳ３を確保することができるため、ガス管５０および液管６０の連結作業および連結解除作業を容易に行える。
【００３９】
また、開口部８２は、側面視において、ガス管連結部５２（配管であるガス管および液管のうち、下方に配置される配管の連結部）に加え、液管連結部６２（配管であるガス管および液管のうち、上方に配置される配管の連結部）の位置とも重なる位置に備えてもよい。
これによれば、ガス管５０および液管６０の連結作業時や連結解除作業時に必要となる作業用のサービススペースＳ３を確保することができるため、ガス管５０および液管６０の連結作業および連結解除作業を容易に行える。
【００４０】
また、本実施の形態によれば、第１筐体部２０に設けられる不図示のドレンパンと、ドレンパンからドレン水を排出するためのドレン配管７０と、を備え、ドレン配管７０を空間Ｓ１に配置し、ドレン配管７０と配管（ガス管５０および液管６０）とは、平面視において重なる位置に配置されている。
これによれば、ドレン配管７０も空間Ｓ１を介して後ろ引きとできるため、室内機１０を、より小型化できる。
【００４１】
ドレン配管連結部７２は、配管（ガス管５０および液管６０）のうち、上方に配置される配管の連結部の位置よりも後方の位置に設けてもよい。
これによれば、液管６０およびガス管５０の連結を解除しておけば、ドレン配管７０の連結を解除する場合に、液管６０およびガス管５０が妨げにならず、ドレン配管７０の連結解除作業を容易に行える。
【００４２】
また、本実施の形態によれば、シロッコファン３１などを制御させる制御機器が収納された電装箱３２を、第２筐体部３０内部のうち後方部分に縦置き配置した。
これによれば、化粧パネル１２を天井面から外すことにより、電装箱３２も露出するため、ガス管５０および液管６０の連結作業および連結解除作業に加え、電装箱３２のメンテナンスも容易に行える。
【００４３】
以上、一実施の形態に基づいて本発明を説明したが、本発明はこの実施形態に限定されるものではない。あくまでも本発明の一実施の態様を例示するものであるから、本発明の趣旨を逸脱しない範囲で任意に変更、および応用が可能である。
【００４４】
本実施の形態では、所謂１方向カセットにおいて説明したが、必ずしもこの実施形態に限られるものではなく、例えば、ダクトタイプなど、別タイプの空気調和装置にも適用可能である。
【符号の説明】
【００４５】
３  入口通路
６  浴室
７  クローゼット
１０  室内機
２０  第１筐体部
３０  第２筐体部
５０  ガス管（配管）
５２  ガス管連結部（連結部）
６０  液管（配管）
６２  液管連結部（連結部）
７０  ドレン配管
８０  サービス板
８２  開口部
Ｓ１  空間
Ｓ２  内部空間
Ｓ３  サービススペース
【図１】
2019143910.tif 000003
【図２】
2019143910.tif 000004
【図３】
2019143910.tif 000005
【図４】
2019143910.tif 000006
【図５】
2019143910.tif 000007
【図６】
2019143910.tif 000008
【図７】
2019143910.tif 000009
【図８】
2019143910.tif 000010